(57)【要約】【課題】ディスク装置の取り得る最大消費電力を低減させることにより、装置内部の温度上昇を抑制し、小型化をしやすくするとともに、設計容易性を向上させる。【解決手段】ハードディスク１１はＺＣＡＶ方式で回転制御される。入力データは、ライトバッファ３１を介して、ハードディスク１１に間欠記録される。ライトバッファ３１への入力データの転送ビットレートは制御部１００の制御により可変制御される。制御部１００は、ハードディスク１１上の書き込みレートの異なる記録領域の中から、入力データのライトバッファ３１への転送ビットレートとに応じて、消費電力が所定値よりも低くなる書き込みレートの記録領域を選択し、この記録領域にデータを記録するように制御する。【選択図】図１
2006120209.tif 000002
【特許請求の範囲】
【請求項１】
ディスク記録媒体の少なくとも予め決められた記録領域ごとに異なる書き込みレートでデータの書き込みを制御する書き込みレート制御手段を備えるディスク装置であって、
入力データを一時記憶するバッファ手段と、
入力データの前記バッファ手段への転送ビットレートを制御する転送レート制御手段と、
前記転送レート制御手段により制御される前記入力データの前記バッファ手段への転送ビットレートに応じて、消費電力を予め設定される値以下に抑えることが可能な書き込みレートの記録領域を、前記入力データの記録領域として選択する記録領域選択手段と
を備えることを特徴とするディスク装置。
【請求項２】
請求項１に記載のディスク装置であって、
前記記録領域選択手段は、消費電力を前記予め定められる値以下に抑えることが可能な書き込みレートの記録領域が複数ある場合には、消費電力が一番低くなる記録領域を避けて選択することを特徴とするディスク装置。
【請求項３】
請求項１または請求項２に記載のディスク装置であって、
前記記録領域選択手段は、消費電力が前記予め定められる値以下に抑えることが可能な書き込みレートの記録領域が存在しない場合には、データの記録可能な領域を選択することを特徴とするディスク装置。
【請求項４】
請求項１、請求項２または請求項３に記載のディスク装置であって、
消費電力を抑制するための前記予め定められる値の設定入力を受け付ける受付手段を備えることを特徴とするディスク装置。
【請求項５】
請求項１、請求項２、請求項３または請求項４に記載のディスク装置であって、
被写体の画像を撮像して画像信号として取り込むようにする撮像手段と、
音声を集音して音声信号として取り込むようにする集音手段と
の一方あるいは両方を備え、
前記撮像手段を通じて取り込んだ前記画像信号と、前記集音手段を通じて取り込んだ音声信号との一方あるいは両方を前記入力データとして前記ディスク記録媒体に記録することを特徴とするディスク装置。
【請求項６】
バッファメモリーを備えることにより、ディスク記録媒体への入力データの間欠記録を行うとともに、前記ディスク記録媒体の少なくとも予め決められた記録領域ごとに書き込みレートを異ならせることができるディスク装置において用いられる記録制御方法であって、
入力データの前記バッファ手段への転送ビットレートを制御する転送レート制御工程と、
前記転送レート制御工程において制御される前記入力データの前記バッファ手段への転送ビットレートに応じて、消費電力を予め設定される値以下に抑えることが可能な書き込みレートの記録領域を、前記入力データの記録領域として選択する記録領域選択工程と、
を有することを特徴とする記録制御方法。
【請求項７】
請求項６に記載の記録制御方法であって、
前記記録領域選択工程においては、消費電力が前記予め定められる値以下に抑えることが可能な書き込みレートの記録領域が複数ある場合には、消費電力が一番低くなる記録領域を避けて選択することを特徴とする記録制御方法。
【請求項８】
請求項６または請求項７に記載の記録制御方法であって、
前記記録領域選択工程においては、消費電力が前記予め定められる値以下に抑えることが可能な記録領域が存在しない場合には、データの記録可能な領域を選択することを特徴とする記録制御方法。
【請求項９】
請求項６、請求項７または請求項８に記載の記録制御方法であって、
消費電力を抑制するための前記予め定められる値の設定入力を受け付ける受付工程を有することを特徴とする記録制御方法。
【請求項１０】
請求項６、請求項７、請求項８または請求項９に記載の記録制御方法であって、
被写体の画像を撮像して画像信号として取り込むようにする撮像工程と、
音声を集音して音声信号として取り込むようにする集音工程と
の一方あるいは両方を備え、
前記撮像工程において取り込んだ前記画像信号と、前記集音工程において取り込んだ音声信号との一方あるいは両方を前記入力データとして前記ディスク記録媒体に記録することを特徴とする記録制御方法。
【発明の詳細な説明】
【技術分野】
【０００１】
この発明は、例えば、ハードディスクなどのディスク記録媒体を用いるディスク装置、および、ディスク装置で用いられる記録制御方法に関する。
【背景技術】
【０００２】
例えば、ハードディスクを記録媒体として用いる装置において用いられる記録方式に、消費電力を削減することができるようにするための間欠記録がある。この間欠記録方式は、記録時において、ＡＶストリームなどのデータをライトバッファ（書き込みバッファ）に貯め、その間にドライブ回転を止めることによりドライブを休止状態とし、ライトバッファに十分にデータが蓄積された後にドライブを再起動し、その蓄積したデータをドライブに転送してディスクに書き込むというものである。このようにして、ドライブを休止状態とする期間を設けることによって、消費電力の低減を図っている。
【０００３】
そして、後に記す特許文献１には、上述の間欠記録方式を用いる記録装置において、バッファメモリーに蓄積されるデータ量に基づいて、ドライブへの電源供給のオン／オフを制御するようにする技術が開示されている。この特許文献１に記載の技術を用いることにより、間欠記録方式を用いる場合に、無駄な動作を省略し、消費電力の更なる省略化を実現することができるようにされる。
【特許文献１】特開平１１−２５９９７９号公報
【発明の開示】
【発明が解決しようとする課題】
【０００４】
上述した間欠記録方式の場合、ドライブの休止時間が長ければ長いほど消費電力の削減となる。しかし、ＡＶ（Audio/Video）ストリームなどの入力データのライトバッファへの転送ビットレートを可変とする場合、転送ビットレートが高ければ高いほどドライブの休止時間は短くなり、消費電力の低減効率は悪くなる。入力データを高転送ビットレートでライトバッファに取り込むようにした場合には、ライトバッファに所定量分のデータが貯まるまでにかかる時間が短くなるためである。
【０００５】
固定ビットレート（ＣＢＲ（Constant Bit Rate））制御で、入力データをライトバッファに取り込む場合には、以下のようにいくつかの場合が考えられる。例えば、記録モードとして、ＳＤモード（Standard Mode）とＨＱモード（High Quality mode）とを設け、ＳＤモードでは用いるビットを少なくして転送ビットレートを低くし、ＨＱモードでは用いるビットを多くして転送ビットレートを高くするなど制御を行う場合がある。
【０００６】
また、複雑な画像の時には多くのビットを用いて画像データを表現するために転送ビットレートを高くし、単純な画像の時には少ないビットで画像データを表現するために転送ビットレートを低くするように自動制御するいわゆる可変ビットレート（ＶＢＲ（Variable Bit Rate））制御も用いられている。
【０００７】
一方、記録媒体としてハードディスクを用いる場合を考えると、ハードディスクにおいては、一般的に外周側の記録領域の方が書き込みレート（記録速度）が速いので、外周の記録領域であればあるほどデータの書き込み時間は短くなる。逆に内周側の記録領域の方が書き込みレートは遅いので、データの書き込み時間は長くなる。
【０００８】
このため、間欠記録方式を用い、ライトバッファへの入力データの転送ビットレートを可変とするハードディスク装置において、その装置の最大あるいはそれに近い高転送ビットレートでライトバッファに書き込むようにしている入力データを、ハードディスクの内周側の記録領域に記録する場合には、ライトバッファに入力データを貯め込む期間であり、ハードディスクを休止させる期間は短くなり、逆に、書き込みレートが遅い内周側に入力データを記録するために書き込み時間は長くなる。
【０００９】
このことは、消費電力の増大を招き、最大消費電力が非常に高い値となってしまう。最大消費電力が高いということは、急激に消費電力が大きくなる場合があることを意味し、装置内部の急激な温度上昇を招く場合があり、装置の小型化を阻害する。また、装置を設計する場合に、最大転送ビットレートで且つディスクの最内周にデータを記録する場合をも想定し、これにも十分に耐えうる装置を設計しなければならないので、装置の設計容易性を阻害し、装置の高コスト化を招いてしまう原因になる可能性がある。
【００１０】
以上のことに鑑み、この発明は、装置の取り得る最大消費電力を抑制することにより、上記問題点を一掃することができるようにするディスク装置、ディスク装置で用いられる記録制御方法を提供することを目的とする。
【課題を解決するための手段】
【００１１】
上記課題を解決するため、請求項１に記載の発明のディスク装置は、
ディスク記録媒体の少なくとも予め決められた記録領域ごとに異なる書き込みレートでデータの書き込みを制御する書き込みレート制御手段を備えるディスク装置であって、
入力データを一時記憶するバッファ手段と、
入力データの前記バッファ手段への転送ビットレートを制御する転送レート制御手段と、
前記転送レート制御手段により制御される前記入力データの前記バッファ手段への転送ビットレートに応じて、消費電力を予め設定される値以下に抑えることが可能な書き込みレートの記録領域を、前記入力データの記録領域として選択する記録領域選択手段と
を備えることを特徴とする。
【００１２】
この請求項１に記載の発明のディスク装置によれば、当該ディスク装置は、少なくとも予め決められた記録領域ごとに書き込みレートを異ならせるようにしているものである。そして、入力データは、バッファ手段を介して、ディスク記録媒体に間欠記録するようにされるが、バッファ手段への入力データの転送ビットレートは転送レート制御手段によって可変制御される。
【００１３】
そして、記録領域選択手段によって、ディスク記録媒体上の書き込みレートの異なる記録領域（記録位置）から、入力データのバッファ手段への転送ビットレートとに応じて、消費電力を予め決められる値よりも低くなるビットレートの記録領域が選択され、この選択された記録位置に入力データが記録される。
【００１４】
これにより、入力データのバッファ手段への転送ビットレートが高速になった場合であっても、バッファ手段に記録されたデータを記録媒体に記録する場合には、消費電力が予め決められた値よりも大きくなることがないような書き込みレートの早い記録領域に記録するようにされるので、最大消費電力を抑制することが可能なディスク装置を実現することができるようにされる。換言すれば、急激に予め決められた値以上の電力を消費することがなく、装置内部における急激な温度上昇を防止し、設計容易性が確保され、高コスト化を招くことのないディスク装置を実現することができるようにされる。
【００１５】
また、請求項２に記載の発明のディスク装置は、請求項１に記載のディスク装置であって、
前記記録領域選択手段は、消費電力を前記予め定められる値以下に抑えることが可能な書き込みレートの記録領域が複数ある場合には、消費電力が一番低くなる記録領域を避けて選択することを特徴とする。
【００１６】
この請求項２に記載の発明のディスク装置によれば、入力データを記録することになるディスク記録媒体上の記録領域は、少なくとも消費電力が一番低くなる領域（位置）については選択しないようにされる。これにより、後の記録処理時において、入力データのバッファ手段への転送ビットレートがさらに高くなった場合であっても、これに対応することができるようにされる。
【００１７】
つまり、装置に記録処理についての余裕を持たせることができるようにされ、最大消費電力を抑制することができる。これによって、急激に予め決められた値以上の電力を消費することがなく、装置内部における急激な温度上昇を防止し、設計容易性が確保され、高コスト化を招くことのないディスク装置を実現することができるようにされる。
【００１８】
また、請求項３に記載の発明のディスク装置は、請求項１または請求項２に記載のディスク装置であって、
前記記録領域選択手段は、消費電力が前記予め定められる値以下に抑えることが可能な書き込みレートの記録領域が存在しない場合には、データの記録可能な領域を選択することを特徴とする。
【００１９】
この請求項３に記載の発明のディスク装置によれば、仮に何らかの原因で、消費電力が予め決められる値以下となる書き込みレートの記録領域が存在しない場合であっても、入力データのディスク記録媒体への記録は制限しないようにされる。これにより駆動電力が供給される間においては、入力データのディスク記録媒体への記録が維持され、目的とする入力データがディスク記録媒体に記録されなくなってしまう状態を回避することができるようにされる。
【００２０】
これによって、装置全体として、急激に予め決められた値以上の電力を消費することがなく、装置内部における急激な温度上昇を防止し、設計容易性が確保され、高コスト化を招くことのないディスク装置を実現しつつ、データの記録処理対する信頼性を低下させることもないようにされる。
【００２１】
また、請求項４に記載の発明のディスク装置は、請求項１、請求項２または請求項３に記載のディスク装置であって、
消費電力を抑制するための前記予め定められる値の設定入力を受け付ける受付手段を備えることを特徴とする。
【００２２】
この請求項４に記載の発明のディスク装置によれば、受付手段を通じて、消費電力を抑制するための前記予め定められる値の設定入力が受け付けられる。これによって、例えば、屋外においてバッテリ駆動で用いる場合には、この発明を適用した省電力モード用い、外周側にデータの記録を行うようにし、屋内において商用電源で駆動している場合には、ディスクの内周側にデータの記録を行うようにするといった使い分けを行うことができるようにされる。
【００２３】
また、請求項５に記載の発明のディスク装置によれば、請求項１、請求項２、請求項３または請求項４に記載のディスク装置であって、
被写体の画像を撮像して画像信号として取り込むようにする撮像手段と、
音声を集音して音声信号として取り込むようにする集音手段と
の一方あるいは両方を備え、
前記撮像手段を通じて取り込んだ前記画像信号と、前記集音手段を通じて取り込んだ音声信号との一方あるいは両方を前記入力データとして前記ディスク記録媒体に記録できるようにすることを特徴とする。
【００２４】
この請求項５に記載の発明によれば、当該ディスク装置は、撮像手段や集音手段を備えることによって、映像データの記録装置、音声データの記録装置、あるいは、ビデオカメラ装置等として用いることができるようにされる。そして、この場合には、最大消費電力を抑制することができるので、より小型化、省電力化した装置を実現することができるようにされる。
【発明の効果】
【００２５】
この発明によれば、１サイクルあたりの最大消費電力を低減させることができる。また、最大消費電力を削減することにより温度上昇を抑えることができ、温度上昇を抑えることにより機器の小型化が可能となる。
【００２６】
また、最大消費電力を抑制し、装置内の温度上昇を抑制することができるので、最大消費電力などの制限を受けずに、装置を設計することができるようにされ。すなわち、設計容易性を向上させることができる。
【発明を実施するための最良の形態】
【００２７】
以下、図を参照しながらこの発明による装置、方法について説明する。以下に説明する実施の形態においては、この発明による装置、方法を、動画、静止画、音声をデジタル信号として取り込んで、これを記録媒体であるハードディスクに記録するとともに、記録した動画、静止画、音声を再生することができる記録再生装置であるビデオカメラに適用した場合を例にして説明する。
【００２８】
［ビデオカメラについて］
図１は、この発明による装置、方法の一実施の形態が適用されたビデオカメラを説明するためのブロック図である。図１に示すように、この実施の形態のビデオカメラは、ハードディスクドライブ１０と、書き込み／読み出し部２０と、バッファメモリー３０と、多重化部４１と、分離部４２と、エンコード／デコード部５０とを備えている。
【００２９】
また、情報の入力部として、フォーカス機構、シャッター機構、絞り機構などを備えた光学ブロック６１やＣＣＤ（Charge Coupled Device）などからなる撮像素子６２を備えたカメラ部６０や映像Ａ／Ｄ（Analog/Digital）変換部６３からなる映像情報の入力部と、マイクロホン７１やＡ／Ｄ変換部７２などからなる音声情報の入力部とを備えている。また、情報の出力部として、映像出力処理部８１やＬＣＤ（Liquid Crystal Display）８２からなる映像情報の出力部と、音声出力処理部８３やスピーカ８４からなる音声情報の出力部とを備えている。
【００３０】
さらに、この実施の形態のビデオカメラは、ＣＰＵ（Central Processing Unit）１０１、ＲＯＭ（Read Only Memory）１０２、ＲＡＭ（Random Access Memory）１０３、フラッシュＲＯＭ１０４が、ＣＰＵバス１０５を通じて接続されて、マイクロコンピュータの構成とされた制御部１００を備えている。この制御部１００は、この実施の形態のビデオカメラの各部を制御するものである。
【００３１】
また、制御部１００には、図１に示すように、現在時刻を提供するとともに、期間の計測を行うことが可能な時計回路（タイマー）１１０と、種々の操作キーを備え、ユーザーからの操作入力を受け付ける操作部１２０と、例えば、外部機器との間でデータをやり取りするための外部インターフェース（以下、外部ＩＦという。）１３０を備えたものである。
【００３２】
また、図１に示したように、ハードディスクドライブ１０は、記録媒体であるハードディスク１１、記録データの変調部１２、読み出したデータの復調部１３などを備えている。もちろん、ハードディスクドライブ１０は、図示しないが、ハードディスク１１を回転駆動するためのモータ、磁気ヘッド、この磁気ヘッドをディスクの半径方向に移動させるためのアームなどをも供えている。
【００３３】
そして、この実施の形態のハードディスクドライブ１０は、ハードディスク１１の記録面を同心円状の複数の記録ゾーン（記録領域）に分割して、記録ゾーンごとの角速度は異なるが、各記録ゾーン内においては角速度が一定となるように回転制御するＺＣＡＶ（Zone Constant Angular Velocity）方式を用いるようにしている。
【００３４】
したがって、ハードディスク１１に記録密度を均一にしてデータを記録する場合、ハードディスク１１の内周側の記録ゾーンよりも外周側の記録ゾーンのほうが、トラックの長さ（円周）が長いので、データの書き込みレート（書き込み速度）は速く、ハードディスク１１の内周側の記録ゾーンほど、トラックの長さが短いので、データの書き込みレートが遅くなる。
【００３５】
このため、この実施の形態のビデオカメラのハードディスクドライブ１０は、同じデータ量のデータを記録する場合、外周側の記録ゾーンほど書き込みにかかる時間は短く消費する電力も少なくて済むが、逆に、内周側の記録ゾーンほど書き込みにかかる時間は長く消費する電力も多くなるものとなっている。
【００３６】
書き込み／読み出し部２０は、図１に示すように、データをハードディスク１１に記録するようにするための書き込み部２１と、ハードディスク１１からこれに記録されているデータを読み出す、読み出し部２２とを備えている。同様に、バッファメモリー３０は、データの記録時に用いられるライトバッファ３１と、データを読み出して再生する場合に用いるリードバッファ３２とを備えている。
【００３７】
なお、データの記録処理と再生処理とを同時に行うことはないので、バッファメモリー３０を記録処理時には、ライトバッファとして用い、また、再生処理時にはリードバッファとして用いるようにすることも可能である。また、デコーダ／エンコーダ５０も、映像エンコーダ５１、音声エンコーダ５２、映像デコーダ５３、音声デコーダ５４を備えたものである。
【００３８】
このように、この実施の形態のビデオカメラは、カメラ部６０、マイクロホン７１、エンコーダ５１，５２、多重化部４１、ライトバッファ３１、書き込み部２１、変調部１２からなる記録系と、復調部１３、読み出し部２２、リードバッファ３２、分離部４２、デコーダ５３、５４、映像出力処理部８１、ＬＣＤ８２、音声出力処理部８７、スピーカ８４からなる再生系とを備えるものである。
【００３９】
そして、記録処理（撮影処理）時においては、光学ブロック６１を通じて取り込まれた被写体の画像は、撮像素子６２において電気信号に変換され、これが映像Ｄ／Ａ部６３においてデジタル信号に変換されてエンコーダ５１に供給される。同様に、マイクロホン７１を通じて集音され、電気信号に変換された音声信号は、Ａ／Ｄ変換部７２においてデジタル信号に変換され、これがエンコーダ５２に供給される。
【００４０】
エンコーダ５１は、これに供給されたデジタル映像信号を所定の圧縮方式に従ってデータ圧縮し、これを多重化部４１に供給する。同様に、エンコーダ５２は、これに供給されたデジタル音声信号を所定の圧縮方式に従ってデータ圧縮し、これを多重化部４１に供給する。多重化部４１は、これに供給されたデータ圧縮後のデジタル映像信号と音声デジタル信号とを多重化して記録用のデジタル信号を形成する。
【００４１】
すなわち、圧縮方式として、例えばＭＰＥＧ２を用いた場合には、エンコーダ５１においては映像ＥＳ（Elementary Stream）を生成する処理を行い、エンコーダ５２においては音声ＥＳを生成する処理を行う。そして、多重化部４１においては、これに供給される映像ＥＳと音声ＥＳとからＰＳ（Program Stream）信号を形成する処理を行う。
【００４２】
多重化部４１において多重化されて形成されたデジタル信号（ＰＳ信号）は、ライトバッファ３１に記録され、このライトバッファ３１から書き込み部２１によって順次に読み出されて、変調部１２を通じてハードディスク１１に記録される。
【００４３】
なお、この実施の形態のビデオカメラの場合、データの取り込み処理は、可変ビットレート方式（いわゆるＶＢＲ方式）を用いるものである。このため、撮像された画像の複雑度に応じて、ライトバッファ３１へのデータ圧縮後のデジタルデータの転送ビットレートが可変となるようにされる。また、記録モードとして、ＳＤモード（（Standard Mode））とＨＱモード（High Quality mode）とを備え、これらの記録モードによってもライトバッファ３１へのデータ圧縮後のデジタルデータの転送ビットレートが異なるようにされる。
【００４４】
そして、ハードディスクドライブ１０は、図示しないが制御用のＣＰＵを備え、制御部１００の制御に応じて、書き込み部２１から供給され、変調部１２において変調された記録用のデジタル信号を、空き領域などを考慮して決められるハードディスク１１上の所定の記録ゾーン（記録領域）の所定の位置から記録を行う。
【００４５】
なお、この実施の形態のビデオカメラにおいては、上述のようにライトバッファ３１を用いて間欠記録処理を行うことにより、消費電力の低減を図るようにしている。また、上述もしたように、この実施の形態のビデオカメラにおいては、ライトバッファ３１へのデータの転送ビットレートは可変である。
【００４６】
このため、ライトバッファ３１へのデータの転送ビットレートに応じて、ハードディスク１１上の記録ゾーン（記録領域）を選択できるようにし、高転送ビットレート時において、最内周側のゾーンにデータを記録する場合が発生しないようにして、この実施の形態のビデオカメラが取り得る最大消費電力を抑制するようにしている。なお、デジタルデータの間欠記録および転送ビットレートに応じた記録ゾーンの選択処理をも含む記録制御についての詳細は後述する。
【００４７】
一方、再生処理時においては、ハードディスク１１に記録されている目的とするデジタルデータは、復調部１３、読み出し部２２を通じて読み出され、リードバッファ３２を通じて分離部４２に供給される。リードバッファ３２は、書き込み時に用いられるライトバッファ３１と同様に、読み出されたデジタルデータの時間軸補正を行うためのものである。
【００４８】
分離部４２は、リードバッファ３２からデジタルデータを読み出して、これに多重化されているデジタル映像信号とデジタル音声信号とを分離する。分離されたデジタル映像信号は映像デコーダ５３に供給され、分離されたデジタル音声信号は音声デコーダ５４に供給される。
【００４９】
デコーダ５３はこれに供給されたデータ圧縮されているデジタル映像データの復号化処理を行い、処理後のデジタル映像信号を映像出力処理部８１に供給する。デコーダ５４はこれに供給されたデータ圧縮されているデジタル音声データの復号化処理を行い、処理後のデジタル音声信号を音声出力処理部８３に供給する。
【００５０】
映像出力処理部８１は、これに供給されたデジタル映像信号をアナログ映像信号に変換するＤ／Ａ（Digital/Analog）変換などを行い、ＬＣＤに供給する映像信号を形成して、これをＬＣＤ８２に供給する。また、音声出力処理部８３は、これに供給されたデジタル音声信号をアナログ信号に変換するＤ／Ａ変換などを行い、スピーカ８４に供給する音声信号を形成して、これをスピーカ８４に供給する。
【００５１】
これにより、ハードディスク１１から読み出された映像信号に応じた画像がＬＣＤ８２の表示画面に映出され、ハードディスク１１から読み出された音声信号に応じた音声がスピーカ８４から放音される。このようにして、ハードディスク１１に記録されたデジタルデータの再生が行われる。
【００５２】
［間欠記録と消費電力について］
次に、図１を用いて説明したこの実施の形態のビデオカメラにおいて、記録処理時に行われる間欠記録について説明する。上述もしたように、消費電力を削減するための手段として間欠記録がある。
【００５３】
この実施の形態のビデオカメラにおける間欠記録は、多重化部４１からの映像音声データは、ライトバッファ３１に一旦蓄積されるが、この蓄積している間においてはハードディスクドライブ１０を休止状態とする。そして、ライトバッファ３１にデータが一定量以上蓄積されたときに、ハードディスクドライブ１０を駆動状態にして、ライトバッファ３１に蓄積された映像音声データをハードディスクドライブ１０に転送してハードディスク１１に記録する。したがって、ハードディスクドライブ１０の休止期間を作ることができ、この休止期間においては、ハードディスクドライブの消費電力を削減することが可能となる。
【００５４】
図２は、この実施の形態のビデオカメラにおいての間欠記録時のライトバッファの蓄積量の変化を説明するための図（グラフ）である。図２において、横軸は時間、縦軸はライトバッファのデータ蓄積量である。また、記号Ｔｈ０は下限閾値を示し、記号Ｔｈ１は上限閾値を示している。
【００５５】
そして、記録処理が開始された場合、多重化部４１からライトバッファ３１に書き込まれたデータは、図２に示すように、下限閾値Ｔｈ０から徐々に蓄積されるが、蓄積量が上限閾値Ｔｈ１に到達するまでのドライブ休止期間Ａにおいては、ハードディスクドライブ１０は休止状態とされる。
【００５６】
そして、ライトバッファ３１に上限閾値Ｔｈ１まで多重化部４１からのデータが蓄積されると、制御部１００はハードディスクドライブ１０を起動して、ライトバッファ３１からデータを読み出してハードディスク１１に記録する処理を行う。このように、ライトバッファ３１に書き込まれたデータのハードディスク１１への書き込みが開始され、上限閾値Ｔｈ１から下限閾値Ｔｈ０に到達するまでのデータ書き込み期間Ｂにおいて、ハードディスクドライブ１０は起動状態とされる。
【００５７】
そして、図２に示したように、下限閾値Ｔｈ０から上限閾値Ｔｈ１に至るまでの時点Ｐの前段がドライブ休止期間Ａ、上限閾値Ｔｈ１から下限閾値Ｔｈ０に至るまでの時点Ｐの後段がデータ書き込み期間Ｂとなり、この１つのドライブ休止期間Ａと１つのデータ書き込み期間Ｂとからなる期間が１サイクルの期間となっている。
【００５８】
このように、ライトバッファ３１へのデータの書き込み期間をハードディスクドライブ１０を休止させるドライブ休止期間Ａとし、ライトバッファ３１からのデータの読み出し期間をハードディスクドライブ１０を起動させてデータをハードディスク１１に記録するデータ書き込み期間Ｂとして、これらドライブ休止期間Ａとデータ書き込み期間Ｂとを交互に繰り返すことによって、ハードディスクドライブ１０を間欠的に起動させるようにして、主にハードディスクドライブ１０における消費電力を低減させるようにしている。
【００５９】
［消費電力の削減について］
そして、１つのドライブ休止期間Ａと１つのデータ書き込み期間Ｂとからなる１サイクル当たりの消費電力を削減するには、１サイクルに占めるドライブ休止期間Ａを長くするか、あるいは、データ書き込み期間Ｂを短くすればよいことになる。以下に、ドライブ休止期間Ａを長くする場合と、データ書き込み期間Ｂを短くする場合のそれぞれについて説明する。
【００６０】
まず、１サイクルに占めるドライブ休止期間Ａを長くする場合について説明する。ドライブ休止期間Ａを長くする方法としては、ライトバッファ３１へのデータの転送ビットレートを下げることが考えられる。
【００６１】
図３は、転送ビットレートとドライブ休止期間との関係を説明するための図である。図３（Ａ）、（Ｂ）において、横軸は時間、縦軸はライトバッファ３１の蓄積量であり、参照符号Ｔｈ０は下限閾値、参照符号Ｔｈ１は上限閾値である。また、図３（Ａ）、（Ｂ）において、一点鎖線で示した波形が転送ビットレート変更前の状態を、実線で示した波形が転送ビットレート変更後の状態をそれぞれ示している。
【００６２】
そして、図３（Ａ）において、一点鎖線で示すように、ライトバッファ３１への転送ビットレートが比較的に低いときには、そのドライブ休止期間Ａ１は、比較的に長くなるが、実線で示すように、ライトバッファ３１への転送ビットレートを高くすると、そのドライブ休止期間Ａ２は、転送ビットレートが低い時のドライブ休止期間Ａ１に比べて明らかに短くなる。ライトバッファ３１へのデータの転送ビットレートが早ければ、データが上限閾値Ｔｈ１にまで到達する時間は早くなるためである。
【００６３】
逆に、図３（Ｂ）において、一点鎖線で示すように、ライトバッファ３１への転送ビットレートが比較的に高いときには、そのドライブ休止期間Ａ１は、比較的に短くなるが、実線で示すように、ライトバッファ３１への転送ビットレートを低くすると、そのドライブ休止期間Ａ２は、転送ビットレートが高い時のドライブ休止期間Ａ１に比べて明らかに長くなる。
【００６４】
このように、ライトバッファ３１へのデータの転送ビットレートを調整し、ドライブ休止期間Ａを長く取るようにすれば、ハードディスクドライブ１０の休止時間を長くすることができる。なお、図３に示した例の場合には、説明を簡単にするため、ハードディスク１１への書き込みレートは、転送ビットレートには影響を受けずに、変わらないものとして示している。
【００６５】
次に、１サイクルに占めるデータ書き込み期間Ｂを短くする場合について説明する。データ書き込み期間Ｂを短くする方法としては、ハードディスク１１へのデータの書き込みレート（書き込み速度）を上げることが考えられる。
【００６６】
図４は、書き込みレートとデータ書き込み期間との関係を説明するための図である。図４（Ａ）、（Ｂ）において、横軸は時間、縦軸はライトバッファ３１の蓄積量であり、参照符号Ｔｈ０は下限閾値、参照符号Ｔｈ１は上限閾値である。また、図４（Ａ）、（Ｂ）において、一点鎖線で示した波形が書き込みレート変更前の状態を、実線で示した波形が書き込レート変更後の状態をそれぞれ示している。
【００６７】
そして、図４（Ａ）において、一点鎖線で示すように、ライトバッファ３１からの入力データのハードディスク１１の書き込みレートが比較的に低いときには、そのデータ書き込み期間Ｂ１は、比較的に長くなるが、実線で示すように、入力データのハードディスク１１への書き込みレートを高くすると、そのデータ書き込み期間Ｂ２は、書き込みレートが低い時のデータ書き込み期間Ｂ１に比べて明らかに短くなる。データのハードディスク１１への書き込みが早くなれば、データが上限閾値Ｔｈ１から加減閾値Ｔｈ０にまで到達する時間が早くなるためである。
【００６８】
逆に、図４（Ｂ）において、一点鎖線で示すように、ハードディスク１１へのデータの書き込みレートが比較的に高いときには、そのデータ書き込み期間Ｂ１は、比較的に短くなるが、実線で示すように、データのハードディスク１１への書き込みレートを低くすると、そのデータ書き込み期間Ｂ２は、書き込みレートが高い時のデータ書き込み期間Ｂ１に比べて明らかに長くなる。
【００６９】
このように、ライトバッファ３１に記録されたデータのハードディスク１１への書き込みレートを調整し、データ書き込み期間Ｂを短く取るようにすれば、ハードディスクドライブ１０の起動時間を短くし、消費電力を低減させるようにすることができる。
【００７０】
また、ライトバッファ３１自体の記憶容量を大きくして、上限閾値Ｔｈ１の値を大きくすることも考えられる。この場合には、１サイクルあたりのドライブ休止期間Ａの割合は変わらないが、記録開始から終了までのサイクルの数そのものが減るので、ドライブ起動回数も減り、ハードディスクドライブ１０を起動させることにより消費する電力を削減することが可能である。
【００７１】
しかし、記憶容量の大きなライトバッファを搭載することは、コストがかかることになるし、小型化を阻害することにもなりかねない。そこで、この実施の形態のビデオカメラにおいては、図３、図４を用いて説明したように、ライトバッファ３１へのデータの記録速度である転送ビットレートや、ライトバッファ３１に記録されたデータのハードディスク１１への記録速度である書き込みレートによって消費電力が左右されることに着目し、ハードディスク１１上の書き込みレートの異なる予め決められた記録ゾーンを利用することによって、この実施の形態のビデオカメラが記録処理時において取り得る最大消費電力を抑制することができるようにしている。
【００７２】
すなわち、この実施の形態のビデオカメラは、ハードディスクドライブ１０に搭載されたハードディスク１１の内周と外周の書き込みレート（記録速度）の違いを利用して、最大消費電力の低減を図ることができるようにしている。ハードディスクドライブ１０は、上述もしたように、一般に内周より、外周の方が記録速度は速い。また、記録開始から記録停止までの間の記録レートはユーザーによって記録の度に変更される可能がある。
【００７３】
また、可変レートでデータを取り込んで記録しているときは、入力データの転送ビットレート(つまり、入力の傾き)は常に増減する。１サイクルで、最も消費電力が多いパターンは入力データの転送ビットレートが高く、書き込みレートの遅いディスクの内周に記録する場合である。逆に１サイクルで最も消費電力が少ないのは、入力データの転送ビットレートが低く、書き込みレートの速い外周に記録する場合である。
【００７４】
そこで、この実施の形態のビデオカメラにおいては、高転送ビットレート時においては、ディスク休止期間Ａが短くなるために消費電力は低減されないので、書き込みレートが高くなるために消費電力が大きくなるハードディスク１１の内周側の書き込みゾーンには記録しないように制御する。また、低転送ビットレート時においては、ディスク休止期間Ａが長くなり、ハードディスクドライブ１０を休止させておく期間を長くでき、消費電力も低く抑えることができるので、この場合には、内周側の書き込みゾーンにデータを書き込むように制御する。
【００７５】
このように、転送ビットレートに応じて、ハードディスク１１上の書き込みレートの異なる記録ゾーンを選択することにより、ビデオカメラ全体として最大消費電力を低減させることができるようにしている。換言すれば、転送ビットレートの高い場合はディスクの外周を優先的に使うことにより、最大消費電力の一定の値以下に低減させるようにしている。
【００７６】
［書き込みゾーン（書き込み領域）の制御について］
ここでは、図５に示すようなバッファモデルにおいての１サイクル当たりの消費電力を考える。図５に示すように、この例の転送ビットレートはＶｒ、ハードディスク１１への書き込みレートをＶｗとすると、ライトバッファ３１には常にＶｒの入力があるので、見かけの書き込みレートは図５において（１）式に示すようにＶｗ−Ｖｒとなる。
【００７７】
ここで、転送ビットレートＶｒは、エンコーダ５１、５２から、あるいは、多重化部４１からストリームの転送ビットレートとして、制御部１００が取得することができる。また、書き込みレートＶｗは、ハードディスクドライブと予め決められる各書き込みゾーンとによって決まる値となる。
【００７８】
そして、ライトバッファ３１の上限閾値をＭｂとすると、１サイクルあたりのドライブ休止期間（休止時間）は、図５において（２）式に示すようにＭｂ／Ｖｒであり、データ書き込み期間（書き込み時間）は、図５において（３）式に示すようにＭｂ／（Ｖｗ−Ｖｒ）となる。ドライブ休止時の消費電流をＷｓ、ドライブ書き込み時の消費電流をＷｗとすると、１サイクルの消費電力Ｗｃは、図６の（４）式に示すように表すことができる。
【００７９】
すなわち、１サイクルの消費電力Ｗｃは、ドライブ休止時の消費電力（Ｗｓ）とドライブ休止期間（Ｍｂ／Ｖｒ）とを乗算したものと、ドライブ書き込み時の消費電力（Ｗｗ）とデータ書き込み期間（Ｍｂ／（Ｖｗ−Ｖｒ）とを乗算したものとを足し合わせ、これをドライブ休止期間（Ｍｂ／Ｖｒ）とデータ書き込み期間（Ｍｂ／（Ｖｗ−Ｖｒ）とを足し合わせたもので割った値となる。ただし、簡単のため、ドライブ起動時の消費電力は無視している。
【００８０】
そして、図６の（４）式を整理すれば、図６に示す（５）式のように表すことができる。この図６に示した（５）式から分かるように、ドライブ休止時間の消費電力Ｗｓとデータ書き込み時の消費電力Ｗｗとは、装置により決まる値なので、１サイクル当たりの消費電力Ｗｃは、転送ビットレートＶｒと、書き込みレートＶｗとから求められる。
【００８１】
そして、図６に示した（５）式から分かるように、転送ビットレートＶｒが低く、書き込みレートＶｗが上がれば、消費電力は下がり、転送ビットレートＶｒが高く、書き込みレートＶｗが下がれば、消費電力は大きくなる。逆に、転送ビットレートＶｒが高くても、書き込みレートＶｗを上げれば、書き込み時の消費電力Ｗｒを下げることができる。
【００８２】
目標とする消費電力をＷｔとすると、転送ビットレートＶｒにてデータのライトバッファ３１への記録が行われた場合、１サイクル当たりの消費電力Ｗｃが、Ｗｃ＜Ｗｔとなるような転送ビットレートＶｗを求め、目標とする消費電力Ｗｔを満たすような書き込みレートＶｗのうち、最も小さいＶｗとなるようなハードディスク１１上の記録ゾーン（記録領域）にデータを記録するようにすればよい。
【００８３】
なお、目標を満たすような書き込みレートＶｗの記録ゾーンがハードディスク１１上に無いときは、使用可能で且つ最も書き込みレートの速い記録ソーンにデータの記録を行う。この場合の当該１サイクル分の期間においては、消費電力を削減することはできないが、目的とするデータを漏れなく記録することができるとともに、全体として最高消費電力の低減を図ることができるようにされる。
【００８４】
［記録ゾーン（書き込み領域）の制御の具体例について］
図７、図８は記録ゾーンの制御の具体例を説明するための図である。図７に示すように、ハードディスク１１が、内側から外側に向かって記録ゾーンａ、ｂ、ｃ、ｄ、ｅというように５つに分けられていたとする。ここでは、説明を簡単にするため、各記録ゾーンのサイズは等しいものとする。
【００８５】
そして、記録ゾーンａ、ｂ、ｃ、ｄ、ｅのそれぞれの書き込みレートは、順にＶａ、Ｖｂ、Ｖｃ、Ｖｄ、Ｖｅであったとする。ハードディスク１１は上述もしたように、外周の方が書き込みレートが高い（速い）ので、Ｖａ＜Ｖｂ＜Ｖｃ＜Ｖｄ＜Ｖｅという関係が成り立っているとする。
【００８６】
転送ビットレートＶｒに対し、目標となる消費電力Ｗｔをみたす書き込みレートＶｗが、Ｖｂ＜Ｖｗであったとする。この場合、目標を満たすドライブ記録速度（書き込みレート）はＶｃ、Ｖｄ、Ｖｅとなる。このうちで最も低い書き込みレートはＶｃであるので、記録ゾーンｃにデータを記録するように制御する。ここで、記録ゾーンｄ、ｅを用いないのは、今後起こりうるかもしれないさらに大きい転送ビットレートＶｒでデータがライトバッファ３１に記録される場合に対応できるように余裕を残しておくためである。
【００８７】
例えば、３サイクル記録する場合を考える。ここでは説明を簡単にするため、１サイクルでの記録サイズはハードディスク１１上の1つの記録ゾーンとする。サイクル１、サイクル２、サイクル３の転送ビットレートは、それぞれＶｒ１、Ｖｒ２、Ｖｒ３とし、目標とする消費電力Ｗｔを満たす書き込みレートはそれぞれＶｗ１、Ｖｗ２、Ｖｗ３であるとする。
【００８８】
転送ビットレートは、Ｖｒ１＜Ｖｒ２＜Ｖｒ３であり、ハードディスク１１の書き込みレートとの関係は Ｖｗ１＜Ｖａ＜Ｖｂ＜Ｖｗ２＜Ｖｃ＜Ｖｄ＜Ｖｗ３＜Ｖｅであったとする。一般にハードディスクドライブは外周から記録を行うので、消費電力を考慮せず記録領域を制御しなかった場合は、サイクル１、サイクル２、サイクル３はそれぞれハードディスク１１上の領域ｅ、ｄ、ｃに順に記録される。
【００８９】
消費電力を考慮して書き込みゾーンの選択制御を行った場合は、まず、サイクル１にて目標消費電力を満たす書き込みレートのうち最も小さい書き込みレートＶａである書き込みゾーンａを選択する。同様にして、サイクル２では書き込みゾーンｃ、サイクル３では書き込み領域ｅに記録する。
【００９０】
ここで記録ゾーンの選択制御（領域制御）をしなかった場合の消費電力比較する。領域制御をしなかった場合の各サイクルの消費電力をＷｃ１＿ｅ、Ｗｃ２＿ｄ、Ｗｃ３＿ｃ、制御した場合の各サイクルの消費電力をＷｃ１＿ｃｔｌ＿ａ、Ｗｃ２＿ｃｔｌ＿ｃ、Ｗｃ３＿ｃｔｌ＿ｅとする。
【００９１】
消費電力の大小関係を見てみると、記録速度の関係からサイクル１では、Ｗｃ１＿ｅ＜Ｗｃ１＿ｃｔｌ＿ａ＜Ｗｔとなり、サイクル２では、Ｗｃ２＿ｄ＜Ｗｃ２＿ｃｔｌ＿ｃ＜Ｗｔとなって、領域制御した場合の方が消費電力が大きくなっている。しかし、目標消費電力Ｗｔを下回っているので問題ない。そして、サイクル３ではＷｃ３＿ｃｔｌ＿ｅ＜Ｗｔ＜Ｗｃ３＿ｃとなり領域制御しない場合は目標消費電力Ｗｔを上回ってしまう。
【００９２】
この実施の形態のビデオカメラにおいては、上述のように、ハードディスク１１上の低レート領域を優先的に使用することにより、後の高レート記録時でも書き込みレートの速い領域を用いることができ、１サイクルあたりの最大消費電力を低減させることができる。したがって、１サイクル当たりの最大消費電力を確実に低減させることができるので、高転送ビットレートでライトバッファに取り込まれたデータを、低書き込みレートでハードディスク１１の最内周側に記録するような場合を避け、最大消費電力を低減させることができるので、システム構成に余裕をもたせることが可能になる。
【００９３】
次に、この実施の形態のビデオカメラにおいて行われる書き込みゾーンの選択制御（領域制御）を含む記録制御処理について、図９に示すフローチャートを参照しながら説明する。図９は、この実施の形態のビデオカメラにおいて実行される記録ゾーンの選択制御を含む記録制御処理を説明するためのフローチャートである。この図９に示す処理は、記録処理時において、制御部１００において実行される。
【００９４】
記録処理の開始が指示されると、カメラ部６０を通じて撮像された映像やマイクロホン７１を通じて集音された音声が、エンコードされて多重化され、ライトバッファ３１を通じて、ハードディスク１１に記録するようにされるが、これに先立ち、制御部１００は、ライトバッファ３１内のストリーム（データ）の転送ビットレートＶｒを取得する（ステップＳ１０１）。
【００９５】
そして、ライトバッファ３１の記憶容量Ｍｂは予め分かっているので、図５に示した（２）式により、ドライブ休止期間（Ｍｂ／Ｖｒ）を算出する（ステップＳ１０２）。そして、予め決められた、あるいは、ユーザーによって入力された目標消費電力Ｗｔを満たす書き込みレートＶｗを算出する。すなわち、図６に示した（５）式に基づいて、１サイクルの消費電Ｗｃ＜目標消費電力Ｗｔとなる書き込みレートＶｗを算出する。
【００９６】
すなわち、ドライブ休止時の消費電力Ｗｓとデータ書き込み時の消費電力Ｗｗとは、装置に応じて予め決まる値であり、また、転送ビットレートＶｒは、ステップＳ１０１において取得されているので、これらの値を図６に示した（５）式に代入し、１サイクルの消費電力Ｗｃ＜目標消費電力Ｗｔとなる書き込みレートＶｗを算出するのである。
【００９７】
この後、制御部１００は、ハードディスク１１の使用可能領域情報を取得する（ステップＳ１０４）。このステップＳ１０４の処理を簡単に説明すると、書き込みレートの異なる各記録ゾーンごとに、空き領域がどれ位あるかを検出する処理である。
【００９８】
そして、制御部１００は、ステップＳ１０４において算出した目的とする書き込みレートＶｗと、ステップＳ１０４において取得したハードディスク１１の使用可能領域情報とに基づいて、ステップＳ１０４において算出した目的とする書き込みレートＶｗよりも書き込みレートの速い、データの書き込みが可能な（空き領域が十分にある）記録ゾーンがあるか否かを判別する（ステップＳ１０５）。
【００９９】
ステップＳ１０５の判断処理において、目的とする書き込みレートＶｗよりも書き込みレートの速い、データの書き込みが可能な記録ゾーンがあると判断したときには、目的とする書き込みレートＶｗよりも書き込みレートの速い記録ゾーン（記録領域）の中で、一番書き込みレートの遅い記録ゾーンをデータを記録する記録ゾーンとして決定し、その決定した記録ゾーンにデータを記録する（ステップＳ１０６）。
【０１００】
また、ステップＳ１０５の判断処理において、目的とする書き込みレートＶｗよりも書き込みレートの速い、データの書き込みが可能な記録ゾーンがないと判断したときには、書き込み可能な記録ゾーンの内で、最も書き込みレートの速い記録ゾーンをデータを記録する記録ゾーンとして決定し、その決定した記録ゾーンにデータを記録する（ステップＳ１０７）。
【０１０１】
ステップＳ１０６の処理により、または、ステップＳ１０７の処理により、１サイクル分のデータの書き込み処理が終了するので、図９に示した処理を終了し、次のサイクルの処理のために図９に示す処理を繰り返すことになる。
【０１０２】
このように、各サイクルごとに記録ゾーンを適切に選択することができるので、本来取り得る最大消費電力を低く抑えることができるのである。なお、目標消費電力Ｗｔは、ビデオカメラ内部の温度上昇を所定値以下に抑えることができるように予め定めるようにしたり、また、バッテリの電力容量と目標とする駆動時間とから定めるようにしたりすることが可能である。また、バッテリの残容量から、目標消費電力を随時に変更できるようにすることも可能である。
【０１０３】
また、ビデオカメラの屋外での使用を前提として低消費電力モードと、屋内などの商用電源の使用が可能な場所での使用を前提とした通常消費電力モードとを設け、低消費電力モードと通常消費電力モードとで目標消費電力Ｗｔを異なる値とし、各モードをユーザーが切り換えるようにすることもできる。目標消費電力Ｗｔを操作部１２０を通じてユーザーから受け付けて、これを用いるようにすることも可能である。
【０１０４】
また、図９に示した処理においては、ステップＳ１０１において、ステップＳ１０１において転送ビットレートを取得し、ステップＳ１０２においてドライブ休止期間を算出するようにしたが、これに限るものではない。図１にも示したように、この実施の形態のビデオカメラは、期間の計測の可能な時計回路１１０を備えており、この時計回路１１０を用いてドライブ休止期間の長さ（時間）を計測するようにしてもよい。この場合には、ドライブ休止期間を算出する必要がなくなり、図９に示した記録制御の処理の迅速化を行うようにすることができる。
【０１０５】
図１０は、例えばハードディスクを記録媒体として用い、転送ビットレートが可変であり、かつ、間欠記録を行う例えばビデオカメラのような記録再生装置における従来の記録制御方法を用いた場合の消費電力（図１０Ａ）と、上述した実施の形態のビデオカメラにおいて用いられるこの発明による記録制御方法を用いた場合の消費電力（図１０Ｂ）とを比較するための図である。
【０１０６】
従来の記録制御を行う記録再生装置においては、データを記録する場合、書き込みレートの速い外周側から順にデータの記録を行うようにするため、記録開始当初の消費電力は低く抑えられるが、記録位置がディスクの内周側にいくにしたがって、書き込みレートは遅くなり、消費電力は高くなってしまう。
【０１０７】
そして、内周側の記録ゾーンしか空いていない状態において、転送ビットレートが高くなってしまうと、ディスク休止期間が短くなるとともに、データの書き込み時間が長くなるので、図１０Ａに示すように、時間的に後になって消費電力が大きくなる場合が発生する。この図１０Ａに示した従来の記録制御を用いた場合の最大消費電力は、値ｙ１である。
【０１０８】
これに対して、この発明の記録制御方法を用いたこの実施の形態の記録再生装置（ビデオカメラ）の場合には、上述したように、外周側からデータを記録するのではなく、ライトバッファ３１へのデータの転送データレートＶｒと、ドライブ休止期間における消費電力Ｗｒと、データ書き込み期間における消費電力Ｗｗと、目標とする消費電力Ｗｔとから目的とする書き込みレートＶｗが求められ、この目標とする書き込みレートＶｗよりも高い書き込みレートでデータが書き込まれる記録ゾーンのうちで、最も書き込みレートの遅い記録ゾーンにデータが記録するようにされる。
【０１０９】
したがって、図１０Ｂに示すように、記録開始当初においては、図１０Ａに示した従来の記録制御を用いた場合に比べて消費電力は高くなる。しかし、目標消費電力Ｗｔを満足する目的とする書き込みレートＶｗよりも書き込みレートが速い記録ゾーンの内の最も書き込みレートの遅い記録ゾーンを使用するというように、書き込みレートのより速い記録ゾーンは後の記録用に残すようにされる。
【０１１０】
これにより、図１０Ｂに示したように、ディスク１１の記憶容量が少なくなった段階において、転送ビットレートが高くなり、ドライブ休止期間が短くなっても、外周側の記録ゾーンが空き領域として残すようにされるので、データの書き込みレートを遅くすることがなく、書き込みにかかる時間を長引かせることもないので、データの記録処理時の消費電力が急激に高くなることがない。
【０１１１】
つまり、消費電力の変化を記録処理全体を通してできるだけ均一となるようにすることができるので、図１０Ｂに示したように、この発明の記録制御方法を用いた場合の最大消費電力ｙ２は、従来の記録制御を用いた場合の最大消費電力ｙ１よりも低く抑えることができるようにされる。
【０１１２】
このように、最大消費電力を低く抑えることができるので、上述もしたように、記録処理時における装置内部の温度上昇を抑制し、装置の小型化を進めることができる。すなわち、最大消費電力を低く抑えることにより、設計の自由度が増し、より柔軟に信頼性の高い装置を実現することができる。特に、対象装置が、ビデオカメラなどのバッテリを駆動電源とし、持ち運ばれて使用される装置の場合、バッテリの急激な消耗を防止し、安定に、しかも長時間の駆動を実現することができる。
【０１１３】
なお、上述した実施の形態においては、記録媒体としてハードディスクを用いたビデオカメラにこの発明を適用した場合を例にして説明したが、これに限るものではない。記録媒体として、内周側と外周側とで書き込みレートが異なるというように、記録位置に応じて書き込みレートが異なる磁気ディスク、光ディスク、光磁気ディスクなどの種々のディスク記録媒体を用い、転送ビットレートが可変である間欠記録を行う種々の記録装置、記録再生装置にこの発明を適用することができる。
【０１１４】
したがって、ディスクの回転制御がＺＣＡＶ制御されるものに限らず、ＣＡＶ制御されるものやＺＣＬＶ（Zone Constant Linear Velocity）制御されるものなど、同一記録面において記録レートの異なる記録領域が存在する種々のディスク記録媒体を用いる装置にこの発明を適用できる。例えば、ハードディスクレコーダ、ＤＶＤレコーダ、デジタルカメラ、ノート型パーソナルコンピュータ、ＰＤＡ（Personal Digital Assistant）などと呼ばれる携帯用情報端末装置などの種々の電子機器であって、記録媒体にディスクを用いる電子機器に適用可能である。
【０１１５】
また、記録対象のデータも、映像データ、音声データ、テキストデータ、グラフィックスデータなどの種々のデータを記録する場合にこの発明を用いることができる。すなわち、この発明は記録対象のデータによって影響を受けることはない。
【図面の簡単な説明】
【０１１６】
【図１】この発明による装置、方法の一実施の形態が適用されたビデオカメラを説明するためのブロック図である。
【図２】間欠記録時のライトバッファの蓄積量の変化を説明するための図である。
【図３】転送ビットレートとドライブ休止期間との関係を説明するための図である。
【図４】書き込みレートとデータ書き込み期間との関係を説明するための図である。
【図５】１サイクル当たりの消費電力を考える場合のバッファモデルを説明するための図である。
【図６】１サイクル当たりの消費電力Ｗｃを算出するための演算式について説明するための図である。
【図７】記録ゾーンの制御の具体例を説明するための図である。
【図８】記録ゾーンの制御の具体例を説明するための図である。
【図９】図１に示したビデオカメラにおいて実行される記録ゾーンの選択制御を含む記録制御処理を説明するためのフローチャートである。
【図１０】従来の記録制御方法を用いた場合の消費電力と、この発明による記録制御方法を用いた場合の消費電力とを比較するための図である。
【符号の説明】
【０１１７】
１０…ハードディスクドライブ、１１…ハードディスク、１２…変調部、１３…復調部、２０…書き込み／読み出し部、２１…書き込み部、２２…読み出し部、３０…バッファメモリー、３１…ライトバッファ、３２…リードバッファ、４１…多重化部、４２…分離部、５０…エンコード／デコード部、５１…映像エンコーダ、５２…音声エンコーダ、５３…映像デコーダ、５４…音声デコーダ、６０…カメラ部、６１…光学ブロック、６２…撮像素子、６３…映像Ａ／Ｄ変換部、７１…マイクロホン、７２…音声Ａ／Ｄ変換部、８１…映像出力処理部、８２…ＬＣＤ、８３…音声出力処理部、８４…スピーカ、１００…制御部、１０１…ＣＰＵ、１０２…ＲＯＭ、１０３…ＲＡＭ、１０４…フラッシュＲＯＭ、１０５…ＣＰＵバス、１１０…可能な時計回路（タイマー）、１２０…操作部、１３０…外部ＩＦ
【図１】
2006120209.tif 000003
【図２】
2006120209.tif 000004
【図３】
2006120209.tif 000005
【図４】
2006120209.tif 000006
【図５】
2006120209.tif 000007
【図６】
2006120209.tif 000008
【図７】
2006120209.tif 000009
【図８】
2006120209.tif 000010
【図９】
2006120209.tif 000011
【図１０】
2006120209.tif 000012